(57)【要約】【課題】  減容化の起点が分かりやすく、比較的弱い力で押し潰せて折り畳むことが出来、しかも復元しづらく真に減容化して廃棄出来る易減容化容器を提供する。【解決手段】  胴部中間部に補強用リブを有した容器であり、肩部及び胴部は対向する部位に上下方向の肩部及び胴部押込リブを有すると共に、両押込リブを押し込んだ際対応して折り曲がる２系列の肩部及び胴部折り目リブを有し、且つ胴部は底部との境目に底部折畳リブを有し、胴部は、胴部押込リブと胴部折り目リブとの間に、胴部上端から下に延びる上部傾斜リブと底部折畳リブの上方から上に延びる下部傾斜リブとを有する易減容化容器。【選択図】        図３
2006206057.tif 000002
【特許請求の範囲】
【請求項１】
上方から順次首部、肩部、胴部及び底部を有すると共に前記胴部の中間部に補強用リブ
を有してなる可撓性のプラスチック容器であって、前記肩部及び前記胴部は互いに対向す
る部位に上下方向の肩部押込リブ及び胴部押込リブを有すると共に、これら両押込リブを
押し込んだ際対応して折り曲がる２系列の肩部折り目リブ及び胴部折り目リブを有し、且
つ前記胴部は前記底部との境目に底部折畳リブを有し、さらに、前記胴部は、前記胴部押
込リブと前記胴部折り目リブとの間に、前記胴部上端から下に延びる上部傾斜リブと前記
底部折畳リブの上方から上に延びる下部傾斜リブとを有してなることを特徴とする易減容
化容器。
【請求項２】
前記肩部及び前記胴部は互いに対向する２つの角部を少なくとも２組有し、該各角部は
直線及び曲線で面取りした形状であり、前記肩部押込リブ及び胴部押込リブは互いに対向
する一組の前記角部上にあり、前記肩部折り目リブ及び胴部折り目リブは、互いに対向す
る他の一組の前記角部の両側に隣接した前記肩部及び前記胴部上にある請求項１記載の易
減容化容器。
【請求項３】
前記肩部押込リブと前記胴部押込リブとの間にグリップ部を設けた請求項１または２記
載の易減容化容器。
【請求項４】
前記胴部押込リブの両側に隣接すると共に前記補強用リブを挟んで隣接する前記胴部上
に、押込凹部を設けた請求項１ないし３のいずれか１項記載の易減容化容器。
【請求項５】
前記肩部折り目リブ及び前記上部傾斜リブで囲われた前記肩部上及び前記胴部上に、前
記肩部押し込みリブ及び前記グリップ部に代えて、放射状押込リブを設けた請求項１ない
し４のいずれか１項記載の易減容化容器。
【発明の詳細な説明】
【技術分野】
【０００１】
本発明は、例えばＰＥＴボトルのような可撓性のプラスチック容器を、内容物の利用後
に容易に潰せて廃棄し易い減容化容器に関するものであり、より詳しくは、該容器の所定
の箇所に、折畳順序を指示した押込リブと、該押込リブに連なる折畳用のリブを形成する
ことによって、折畳形状が復元しにくい易減容化容器に関する。
【背景技術】
【０００２】
現状のプラスチック容器の大半は、廃棄やリサイクルのし易さを念頭に置いておらず、
減容化を図るため押し潰そうとしてもなかなか潰れず、潰せ得たとしても一時的であり、
形状が復元し易く思ったほどの減容化が果たせない実情である。しかしながら、プラスチ
ック類のリサイクル実施に伴い、プラスチック容器の容積を減らし輸送や一時保管を効率
的にする目的からプラスチック容器は予め減容化し易い状態で供給されるのが好ましい。
このような易減容化容器として、下記に示すような技術が知られている。
【０００３】
【特許文献１】特開２０００−７２１２３号公報
【特許文献２】特開２０００−８５７３８号公報
【特許文献３】特開２０００−１９０９３５号公報
【０００４】
特許文献１の易減容化容器ａ１は、図１６に示すように、肩部ｂの角錐部ｃに２つの傾
斜リブｄをＶ字状に配設し、肩部ｂの角筒部ｅに傾斜リブｄの下端に連続する縦リブｆを
配設しており、胴部ｇの上部胴部ｇ１の中央に縦リブｈを配設し、下部胴部ｇ２に２つの
傾斜リブｉを逆Ｖ字状に配設しており、肩部ｂと上部胴部ｇ１、上部胴部ｇ１と下部胴部
ｇ２との接続部には横リブｊ、ｋが配設されている。対向する一対の縦リブｈを両側から
押せば、この易減容化容器ａ１はΣ状に押し潰せ、それと共に上部胴部ｇ１及び底部Ｌも
潰れ、さらに潰れ底部Ｌから丸め折り重ねてゆけば、廃棄に適した減容化状態となると記
載されている。
【０００５】
特許文献２の易減容化容器ａ２は、図１７に示すように、肩部ｂの角錐部ｃに肩部横リ
ブｍを配設し、肩部横リブｍの下に２本の傾斜リブｄ１をＶ字状に配設しており、胴部ｇ
の上部胴部ｇ１の中央に胴部縦リブｈ１を配設すると共に所定位置に胴部横リブｈ２を配
設しており、下部胴部ｇ２に２つの傾斜リブｉを逆Ｖ字状に配設しており、肩部ｂと上部
胴部ｇ１、上部胴部ｇ１と下部胴部ｇ２との接続部には横リブｊ、ｋが配設されている。
対向する一対の縦リブｈ１をのみを折り曲げるように胴部ｇの両側を押せば、この易減容
化容器ａ２は平らに押し潰せ、それと共に横リブｊ、ｋの角部に近い部分を押せば、肩部
ｂ及び底部Ｌも潰れ、さらに潰れた底部Ｌから丸め折り重ねてゆけば、減容化状態となる
としている。
【０００６】
特許文献３の易減容化容器ａ３は、図１８に示すように、胴部ｇの肩部ｂ寄りに肩部誘
導リブｎ及び底部Ｌ寄りに底部誘導リブｏを形成し、さらに、肩部ｂ及び胴部ｇの角部に
かけて収納誘導リブｐ、肩部ｂに肩部収納リブｑ及び胴部ｇの底部Ｌ近傍に底部収納リブ
ｒを形成してなる。そして、上記した各誘導リブｎ、ｏ及びｐを起点として、易減容化容
器ａ３を内側に折り畳むことが出来、肩部及び底部収納リブｑ及びｒにより、首部ｓ及び
底部Ｌを胴部ｇ側に収納出来て、減容化状態となるとしている。
【発明の開示】
【発明が解決しようとする課題】
【０００７】
ところが、特許文献１の易減容化容器ａ１は、四角ボトルタイプの容器であり、胴部ｇ
及び肩部ｂの４面とも同形状であるから、どこの面からもΣ状に押し潰すことは出来るが
、それは蛇腹形状にほかならないため、一旦潰しても復元しやすく、実際には廃棄に都合
の良い平らな減容化状態とはなりづらい。
【０００８】
また、特許文献２の易減容化容器ａ２も、四角ボトルタイプの容器であり、胴部ｇ及び
肩部ｂの４面とも同形状であるから、どこの面からも平らに押し潰すことは出来るが、そ
れは角部をすべて押し開くことになるため、折り癖を付けることは困難であり、次第に復
元しやすくなる。
【０００９】
さらに、特許文献３の易減容化容器ａ３も、収納誘導リブｐのある角部と無い角部のい
ずれを内側に折り畳むかは判別しづらく、廃棄者の選択によることになり、収納誘導リブ
ｐのある角部を内側に折り畳む場合は押し込む力は小さくて済むものの、両隣の角部に減
容化状態を維持する構造を持たないため復元しやすく、収納誘導リブｐのない角部を内側
に折り畳む場合は相当大きな力を加えなければ押し込むことはできない。
【００１０】
さらに、胴部ｇ及び肩部ｂの対向する面が同形状であり、収納誘導リブｐのない角部を
内側に押し潰して折り畳む場合、肩部誘導リブｎ及び底部誘導リブｏは、折り畳んだ後の
潰れ易さの面での寄与があるものの、押し潰し力の軽減を図ることは出来ず、廃棄に都合
の良い減容化状態とはなりづらい。また、この易減容化容器ａ３は、減容性を優先して、
形状を保持するための必要な補強用リブを省いているため、特に温度が高くなった時に変
形し易く、耐熱性に乏しいきらいがある。
【００１１】
そこで、本発明の目的は、減容化の起点が分かりやすく、比較的弱い力でも簡単に押し
潰し易く、折り畳むことが出来、しかも復元しづらく真に減容化して廃棄することが出来
る易減容化容器を提供することにある。
【課題を解決するための手段】
【００１２】
本発明は、上記目的を達成するために提案されたものであって、下記の構成からなるこ
とを特徴とするものである。
すなわち、本発明によれば、上方から順次首部、肩部、胴部及び底部を有すると共に前
記胴部の中間部に補強用リブを有してなる可撓性のプラスチック容器であって、前記肩部
及び前記胴部は互いに対向する部位に上下方向の肩部押込リブ及び胴部押込リブを有する
と共に、これら両押込リブを押し込んだ際対応して折り曲がる２系列の肩部折り目リブ及
び胴部折り目リブを有し、且つ前記胴部は前記底部との境目に底部折畳リブを有し、さら
に、前記胴部は、前記胴部押込リブと前記胴部折り目リブとの間に、前記胴部上端から下
に延びる上部傾斜リブと前記底部折畳リブの上方から上に延びる下部傾斜リブとを有して
なることを特徴とする易減容化容器が提供される。
【００１３】
また、本発明によれば、前記肩部及び前記胴部は互いに対向する２つの角部を少なくと
も２組有し、該各角部は直線及び曲線で面取りした形状であり、前記肩部押込リブ及び胴
部押込リブは互いに対向する一組の前記角部上にあり、前記肩部折り目リブ及び胴部折り
目リブは、互いに対向する他の一組の前記角部の両側に隣接した前記肩部及び前記胴部上
にある上記易減容化容器が提供される。
【００１４】
また、本発明によれば、前記肩部押込リブと前記胴部押込リブとの間にグリップ部を設
けた上記易減容化容器が提供される。
【００１５】
また、本発明によれば、前記胴部押込リブの両側に隣接すると共に前記補強用リブを挟
んで隣接する前記胴部上に、押込凹部を設けた上記易減容化容器が提供される。
【００１６】
また、本発明によれば、前記肩部折り目リブ及び前記上部傾斜リブで囲われた前記肩部
上及び前記胴部上に、前記肩部押し込みリブ及び前記グリップ部に代えて、放射状押込リ
ブを設けた上記易減容化容器が提供される。
【発明の効果】
【００１７】
本発明の易減容化容器は、肩部押込リブ及び胴部押込リブを押し込んだ際、これら両押
込リブが内側に折り曲がると共に、２系列の肩部折り目リブ及び胴部折り目リブのうち、
押し込み側の両押込リブに近い方の１系列の両折り目リブが上部傾斜リブ及び下部傾斜リ
ブの作動に伴って内側に折り曲がり、肩部及び胴部のうち、押し込む部分より押し込まれ
る部分の方が大きなスペースとなり、さらに、押し込んだ方の両押込リブ側にある底部折
畳リブも内側に折り曲がって、肩部及び胴部を内側に折り畳み、さらに他の底部折畳リブ
も内側に折り曲がって、底部も内側に折り畳める。一方、胴部の中間部の補強用リブによ
り、容器の剛性や強度を高めて変形しづらくすることが出来る。
したがって、剛性や強度が高い分温度が高くなっても容器が変形しずらく、押し込まれ
る部分が大きなスペースを確保しているから、無理な押し込みをしなくても良い分、比較
的弱い力で押し込めて、容器を折り畳むことが出来、しかも復元しづらくなり、真に減容
化が可能となり、廃棄が容易となる。
【００１８】
また、角部上の肩部押込リブ及び胴部押込リブを押し込んだ際、両押込リブに近い方の
１系列の角部に隣接した肩部折り目リブ及び胴部折り目リブが内側に折り曲がることにな
り、両押込リブのある角部の剛性により、一度押し込んだ肩部及び胴部が復元しづらく、
両折り目リブに隣接する角部の剛性により、両折り目リブに応力が集中して折り曲がるよ
うになる。したがって、この構成によれば、特により弱い力でも押し込もことができ、し
かもより一層復元しづらくなる。
【００１９】
また、押込凹部を起点として押し込むと、押込凹部に応力が集中し、次いで角部上の肩
部押込リブ及び胴部押込リブを押し込んで、最終的に容器を折り畳むようにすることがで
きる。したがって、この構成によれば、押込凹部により減容化の起点を明示することが出
来、さらに、押込凹部があることで、より弱い力で押し込むことが出来る。
【００２０】
また、容器を放射状押込リブにより持ち、これを起点として角部上の肩部押込リブ及び
胴部押込リブを押し込んで、容器を折り畳む用にした場合は、上記効果に加えて、容器が
持ち易く落下を防止し、減容化の起点を明示することが出来、その上放射状押込リブがあ
ることで、より弱い力で押し込むことが出来るという効果がある。
【００２１】
さらに、容器をグリップ部を把持して持ち、これを起点として角部上の肩部押込リブ及
び胴部押込リブを押し込んで、容器を折り畳むようにすれば、容器が持ち易く落下を防止
し、減容化の起点を明示することが出来る。
【発明を実施するための最良の形態】
【００２２】
以下に、図面を参照して本発明を実施するための最良の形態を説明する。
【実施例１】
【００２３】
図１は本発明の易減容化容器の平面図、図２は本発明の易減容化容器を図１のＸ方向か
ら見た側面図、図３は本発明の易減容化容器を図１のＹ方向から見た側面図、図４は本発
明の易減容化容器を図１のＺ方向から見た側面図、図５は本発明の易減容化容器の底面図
、図６は本発明の易減容化容器の図２のＡ−Ａ線に沿う断面図である。
【００２４】
これらの図面において、易減容化容器１は、上から順次首部２、肩部３、胴部４及び底
部５を有すると共に胴部４の中間部に補強用全周リブ６を有してなる可撓性のプラスチッ
ク容器７であり、肩部３及び胴部４は互いに対向する部位に上下方向の肩部押込リブ８及
び胴部押込リブ９を有すると共に、これら両押込リブ８、９を押し込んだ際、それらに対
応して折り曲がる２系列の肩部折り目リブ１０及び胴部折り目リブ１１を有し、且つ胴部
４は底部５との境目に底部折畳リブ１２を有し、さらに、胴部４は、胴部押込リブ９と胴
部折り目リブ１１との間に、胴部４上端から下に延びる上部傾斜リブ１３と底部折畳リブ
１２の上方から上に延びる下部傾斜リブ１４とを有してなるものである。そして、この易
減容化容器１における容器７の首部２には、内容物が収容された後キャップ１５が螺着さ
れる。なお、キャップその他の密封部材による容器の密封は、螺着によるほか、打栓、巻
締め、ヒートシールなどで行ってもよい。
【００２５】
前記容器７は、前記肩部３及び前記胴部４の横断面がほぼ正方形の４角ボトルであり、
肩部３及び胴部４は互いに対向して４つの角部３Ａ、３Ａ、３Ｂ、３Ｂ及び４Ａ、４Ａ、
４Ｂ、４Ｂを有し、これら各角部３Ａ、３Ｂ及び４Ａ、４Ｂは直線及び曲線で面取りした
形状である。なお、この容器７は、横断面が正方形の４角ボトルに限定されず、長方形、
五角形以上の多角形、円形、楕円形でも良く、当然のことながら、円形、楕円形では上記
した角部３Ａ、３Ｂ及び４Ａ、４Ｂはない。この容器７の材質は、例えば、ポリエチレン
、ポリプロピレン、ポリエチレンテレフタレートなどの可撓性のプラスチックが用いられ
る。
【００２６】
前記肩部押込リブ８及び前記胴部押込リブ９は、前記肩部３及び前記胴部４の互いに対
向する一対の前記角部３Ａ、３Ａ及び４Ａ、４Ａ上にあり、内側に凸の形状を成し減容化
操作の際内側に折れ曲がるものである。また、前記肩部折り目リブ１０及び前記胴部折り
目リブ１１は、肩部３及び胴部４の互いに対向する他の一対の前記角部３Ｂ、３Ｂ及び４
Ｂ、４Ｂの両側に隣接した肩部３及び胴部４上にあり、したがって、肩部押込リブ８及び
胴部押込リブ９と、肩部折り目リブ１０及び胴部折り目リブ１１とは、隣り合うことにな
る。そして、減容化操作の際、押し込む方の肩部押込リブ８及び胴部押込リブ９に近い方
の１系列の肩部折り目リブ１０及び胴部折り目リブ１１が内側に折れ曲がる。このため、
肩部３及び胴部４のうち、押し込む部分より押し込まれる部分が大きなスペースを確保す
ることになって、無理な押し込みがなくなり、復元することがなくなる。
【００２７】
さらに、上記の両折り目リブ１０、１１に隣接する角部３Ｂ、４Ｂの剛性により、両折
り目リブ１０、１１に応力が集中して折り曲がり、より弱い力で押し込める。加えて、両
押込リブ８、９のある角部３Ａ、４Ａの剛性により、一度押し込んだ肩部３及び胴部４が
復元しづらく、より一層復元しづらくなる。なお、肩部押込リブ８及び胴部押込リブ９、
並びに肩部折り目リブ１０及び胴部折り目リブ１１は、いずれも内側に凸の形状を成し減
容化操作の際両押込みリブ８、９は外側に開く方向に折り曲がり、両折り目リブ１０、１
１は内側に折れ曲がるものである。
【００２８】
前記底部折畳リブ１２は、上述のとおり、胴部４と底部５との境目に設けられ、内側に
凸の形状を成し、内側に折れ曲がるのを予定してあり、容器７の肩部３及び胴部４を折り
畳んだ後、底部５をさらに内側に折り畳むためのものである。
前記補強用全周リブ６は、通常、胴部４の中間部に位置して内側に凸の形状を成し、胴
部４の剛性や強度を増し変形を防ぎ、特に高温時の変形を起き起きずらくして、耐熱性を
高めるものである。
【００２９】
前記補強用全周リブ６の形成位置は、厳密に胴部４の中間部という意味ではなく、胴部
中程と言う程度の意味合いを持つものである。なお、補強用リブは全周にわたって連続す
る必要はなく、断続的に形成してもよい。また、胴部４の上端部にある上部傾斜リブ１３
、下端部にある下部傾斜リブ１４は、いずれも減容化操作を容易にするためのものである
。上部傾斜リブ１３は、図８の状態の肩部３近くの胴部４が図９の状態に移行する際の誘
導的役割をなし、下部傾斜リブ１４は、図１０のタイミングで同じく誘導的役割を果たす
ものである。なお、これら両傾斜リブ１３、１４は、肩部押込リブ８及び胴部押込リブ９
、２系列の肩部折り目リブ１０及び胴部折り目リブ１１、並びに底部折畳リブ１２を設け
たことによる剛性や強度の不足を補う作用もあり、肩部３や胴部４の剛性や強度を増し変
形を防ぎ、特に高温時の変形を起きずらくして、耐熱性を高めることが出来る。
【００３０】
また、前記肩部押込リブ８と前記胴部押込リブ９との間の前記角部４Ａ、４Ａ上に、グ
リップ部２０、２０を設けてある。このグリップ部２０は、易減容化容器１を持ちやすく
するためのものであると共に、片方のグリップ部２０を減容化操作の起点とすることが出
来、片方の角部４Ａ上の肩部及び胴部押込リブ８及び９を押し込めば、容器７を折り畳む
ことが出来るものである。
【００３１】
また、前記胴部押込リブ９のある一対の前記角部４Ａの両側に隣接すると共に前記補強
用全周リブ６を挟んで隣接する前記胴部４上には、押込凹部２１が設けられている。この
押込凹部２１は、これの片方を減容化操作の起点として押し込むと、押込凹部２１に応力
が集中し、次いで角部３Ａ及び４Ａ上の肩部押込リブ８及び胴部押込リブ９を押し込むこ
とになり、最終的に容器７を折り畳むことが出来ることになる。
【００３２】
なお、図７は、図１ないし図６に示す易減容化容器１から上記の押込凹部２１を除いた
ものを示すものであり、図７の易減容化容器１は、減容化操作の際、最初の押し込み力が
多少増加すること以外、図１ないし図６に示すものと同様であり、充分に機能を果たすこ
とが出来るものである。
【００３３】
次に、上記構成になる易減容化容器１（図１ないし図７参照）の使用方法について説明
する。
容器７の内容物を消費し後、容器７内を洗浄し蓋１５を外したままで、まず、図８に示
すように、胴部４上の押込凹部２１（図７の場合は同じ位置）を押し込むと、胴部押込リ
ブ９が内側に折り曲がり、胴部４が補強用全周リブ６を境としてＶ字状にへこむ。さらに
、胴部４上のグリップ部２０を押し込むと、肩部押込リブ８が内側に折り曲がり、図９に
示すように、肩部３及び胴部４における補強用全周リブ６から上半部が、肩部折り目リブ
１０及び胴部折り目リブ１１を境として折り曲がり、上部傾斜リブの誘導で押し込み側の
肩部３及び胴部４の上半部が反転して、押し込まれ側の肩部３及び胴部４の上半部内に収
納された状態となる。
【００３４】
胴部４におけるの補強用全周リブ６から下半部を押し込むと、図１０に示すように、下
半部が下部傾斜リブの誘導で胴部折り目リブ１１及び底部折畳リブ１２を境として折り曲
がり、上記と同様に押し込み側の下半部が押し込まれ側の下半部内に収納された状態とな
る。さらに、底部５を内側に押し込むと、図１１に示すように、底部５が一層胴部折り目
リブ１１及び底部折畳リブ１２を境として折り曲がり、押し込まれて、図１２に示すよう
に、易減容化容器１は完全に折り畳まれる。なお、本発明の特徴は減容化操作の起点が分
かりやすいことであるが、それでも廃棄者の行動を完全に制御することはできないので、
折り目リブ側から押し潰される場合に備えて、本発明の多様なリブの構成の一部または全
部を９０°ずらした位置に重ねて補助的に形成することも可能である。
【実施例２】
【００３５】
図１３に示す易減容化容器１ａは、図１ないし図６に示す易減容化容器１から上記の肩
部押し込みリブ８及びグリップ部２０を除き、その代わり、肩部折り目リブ１０ａ及び前
記上部補強用傾斜リブ１３で囲われた肩部３上及び胴部４上に、放射状押込リブ２２を設
けたものである。なお、肩部折り目リブ１０ａは、図１ないし図６に示す易減容化容器１
の２本の肩部折り目リブ１０をつなげたものである。この放射状押込リブ２２は、中心部
に凹部２３を配設し、凹部２３を中心として、４５度の角度を開けて、放射状に８本のリ
ブ２４を設けたものである。したがって、この放射状押込リブ２２が容器７にあることに
より、易減容化容器１ａが持ちやすくなると共に、片方の放射状押込リブ２２を減容化操
作の起点とすることが出来、片方の角部４Ａ上の肩部及び胴部押込リブ８及び９を押し込
めば、より弱い力で押し込むことが出来て、易減容化容器１ａを極めて容易に折り畳むこ
とが出来るものである。その他の構成、作用は図１ないし図６に示すものと同様であるた
め図面に符号を付して、その説明を省略する。
【実施例３】
【００３６】
図１４に示す易減容化容器１ｂは、図１ないし図６に示す易減容化容器１からグリップ
部２０を省き、上記した肩部押込みリブ８及び胴部押込みリブ９をつなげて押込みリブ３
０とし、さらに、押込凹部２１を省き、前記補強用全周リブ６を挟んで隣接する前記胴部
４上に、上記の多様のリブの構造に干渉しないように補強パネル３１及び３２を設けたも
のである。この構造は、容器７では、容器内の減圧は側壁面全体が撓むようにゆるやかに
変形して吸収する。補強パネル３１、３２は、側壁面が撓む際に局部的な変形が起こらな
いように設けたものであり、形状保持に資するため、減圧による形状変化を顕在化させな
いようにすることができる。その他の構成、作用は図１ないし図６に示すものと同様であ
るため図面に符号を付して、その説明を省略する。
【実施例４】
【００３７】
図１５に示す易減容化容器１ｃは、図１ないし図６に示す易減容化容器１からグリップ
部２０を省き、その位置にエンド凹部付きの肩部押込みリブ８ａ及び胴部押込みリブ９ａ
を設け、さらに、押込凹部２１を省き、図１４の易減容化容器１ｂとほぼ同様に、前記補
強用リブ６を挟んで隣接する前記胴部４上に、上記の多様のリブの構造に干渉しないよう
な、補強パネル３１及び３２を設けたものである。実施例４に示した構造も、容器７内が
減圧状態になって側壁面が撓む時に補強パネル３１及び３２によって局部的な変形が防止
でき、形状保持に資するため、減圧による形状変化を顕在化させないようにすることがで
きる。その他の構成、作用は図１ないし図６に示すものと同様であるため図面に符号を付
して、その説明を省略する。
【００３８】
以上、本発明の実施例１ないし４を説明したが、具体的な構成はこれに限定されず、本
発明の要旨を逸脱しない範囲での変更は適宜可能であることは理解されるべきである。
【産業上の利用可能性】
【００３９】
本発明の易減容化容器は、比較的弱い力で押し潰せて折り畳むことが出来、しかも復元
が許されないような、厳格に減容化を要求されるような場合に、利用可能性が極めて高く
なる。
【図面の簡単な説明】
【００４０】
【図１】本発明の実施例１に示した易減容化容器の平面図である。
【図２】図１のＸ方向から見た側面図である。
【図３】図１のＹ方向から見た側面図である。
【図４】図１のＺ方向から見た側面図である。
【図５】本発明の実施例１に示した易減容化容器の底面図である。
【図６】図１のＡ−Ａ線に沿う断面図である。
【図７】本発明の実施例１に示した易減容化容器の変形例の側面図である。
【図８】本発明の実施例１に示した易減容化容器の変形順序を示す側面図である。
【図９】図８の状態からさらに変形順序が進んだ状態を示す側面図である。
【図１０】図９の状態からさらに変形順序が進んだ状態を示す側面図である。
【図１１】図１０の状態からさらに変形順序が進んだ状態を示す側面図である。
【図１２】本発明の易減容化容器の折畳状態の最終形態を示す斜視図である。
【図１３】本発明の実施例２に示した易減容化容器の側面図である。
【図１４】本発明の実施例３に示した易減容化容器の側面図である。
【図１５】本発明の実施例４に示した易減容化容器の側面図である。
【図１６】特許文献１に記載された従来例の易減容化容器の側面図である。
【図１７】特許文献２に記載された従来例の易減容化容器の側面図である。
【図１８】特許文献３に記載された従来例の易減容化容器の斜視図である。
【符号の説明】
【００４１】
１，１ａ，１ｂ，１ｃ          易減容化容器
ａ１，ａ２，ａ３                                                          
２，ｓ                        首部
３，ｂ                        肩部
３Ａ，３Ｂ，４Ａ，４Ｂ        角部
４，ｇ                        胴部
５，Ｌ                        底部
６                            補強用リブ
７                            容器
８                            肩部押込リブ
９                            胴部押込リブ
１０                          肩部折り目リブ
１１                          胴部折り目リブ
１２                          底部折畳リブ
１３                          上部傾斜リブ
１４                          下部傾斜リブ
１５                          キャップ
２０                          グリップ部
２１                          押込凹部
２２                          放射状押込リブ
２３                          凹部
２４                          リブ
３１，３２                    補強パネル
ｃ                            角錐部
ｄ，ｄ１，ｉ                  傾斜リブ
ｅ                            角筒部
ｆ，ｈ，ｈ１                  縦リブ
ｇ１                          上部胴部
ｇ２                          下部胴部
ｊ，ｋ                        横リブ
ｍ                            肩部横リブ
ｎ                            肩部誘導リブ
ｏ                            底部誘導リブ
ｐ                            収納誘導リブ
ｑ                            肩部収納リブ
ｒ                            底部収納リブ
【図１】
2006206057.tif 000003
【図２】
2006206057.tif 000004
【図３】
2006206057.tif 000005
【図４】
2006206057.tif 000006
【図５】
2006206057.tif 000007
【図６】
2006206057.tif 000008
【図７】
2006206057.tif 000009
【図８】
2006206057.tif 000010
【図９】
2006206057.tif 000011
【図１０】
2006206057.tif 000012
【図１１】
2006206057.tif 000013
【図１２】
2006206057.tif 000014
【図１３】
2006206057.tif 000015
【図１４】
2006206057.tif 000016
【図１５】
2006206057.tif 000017
【図１６】
2006206057.tif 000018
【図１７】
2006206057.tif 000019
【図１８】
2006206057.tif 000020